(57)【特許請求の範囲】
【請求項１】
容器の口頸部に装着される合成樹脂製中栓、及び該中栓又は該口頸部に装着される合成樹脂製外蓋を具備し、
該中栓は破断可能薄肉ラインによって規定された除去領域を有する閉塞壁を含み、該閉塞壁の該除去領域には上方に延出する円筒形被係止壁部が形成されており、該被係止壁部には被係止突条が配設され、
該外蓋は天面壁と該天面壁の内面中央部から垂下する円筒形係止片とを含み、該係止片には係止突条が配設されており、
該外蓋が該中栓又は該口頸部に装着される際には、該外蓋の該天面壁が該中栓の該閉塞壁を覆うと共に、該外蓋の該係止片に配設されている該係止突条が該中栓の該被係止壁部に形成されている該被係止突条の下方に係止され、
該中栓又は該口頸部から該外蓋が離脱される際には、該破断可能薄肉ラインが破断されて該除去領域が該閉塞壁のその他の部分から分離され該外蓋と共に該口頸部から離脱される容器蓋において、
該中栓の該被係止壁部における該被係止突条よりも下方の部位には、補助被係止突条が配設されており、
該中栓又は該口頸部から離脱された該外蓋が該中栓又は該口頸部に再装着される際には、該外蓋に対して該除去領域が上方に変位されて、該外蓋の該係止片に配設されている該係止突条が該中栓の該被係止壁部に配設されている該補助被係止突条の下方に係止すると共に、該中栓の該被係止壁部に配設されている該被係止突条が該外蓋の該係止片に配設されている該係止突条よりも上方の位置にて該係止片と対向する、
ことを特徴とする容器蓋。
【請求項２】
該中栓の該閉塞壁の下面には、該破断可能薄肉ラインの半径方向内側において該閉塞壁の下面に接続された基端から半径方向外方に向かって下方に傾斜して延出し、延出端は半径方向において該破断可能薄肉ラインよりも外方に位置する環状シール片が形成されており、該外蓋が該中栓又は該口頸部から離脱される際には該シール片は弾性的に撓んで該その他の部分より上方に移動し、該外蓋が該中栓又は該口頸部に再装着される際には該シール片が該閉塞壁の該その他の部分の上面に当接して該除去領域の下方への移動が阻止される、請求項１記載の容器蓋。
【請求項３】
該被係止突条及び該係止突条を介して伝えられる力によって該破断可能薄肉ラインは破断する、請求項１又は２に記載の容器蓋。
【請求項４】
該被係止壁部の該補助被係止突条の下方には被係合手段が配設され、該係止片の該係止突条の下方には係合手段が配設され、
該被係合手段及び該係合手段を介して伝えられる力によって該破断可能薄肉ラインは破断する、請求項１から３までのいずれかに記載の容器蓋。
【請求項５】
該外蓋の該天面壁の下面又は該係止片には、該外蓋が該中栓又は該口頸部に再装着される際に該被係止壁部に当接して該外蓋に対する該除去領域の上昇を阻止する阻止片が形成されている、請求項１から４までのいずれかに記載の容器蓋。
【請求項６】
該中栓の該被係止壁部の上面には、該外蓋が該中栓又は該口頸部に再装着される際に該外蓋の該天面壁の下面に当接して該外蓋に対する該除去領域の上昇を阻止する阻止片が形成されている、請求項１から４までのいずれかに記載の容器蓋。
【発明の詳細な説明】
【技術分野】
【０００１】
本発明は、容器の口頸部に装着される合成樹脂製中栓、及びこの中栓又は口頸部に装着される合成樹脂製外蓋を具備する容器蓋に関する。
【背景技術】
【０００２】
下記特許文献１には、容器の口頸部に装着される合成樹脂製中栓、及びこの中栓又は口頸部に装着される合成樹脂製外蓋を具備する容器蓋が開示されている。中栓は破断可能薄肉ラインによって規定された除去領域を有する閉塞壁を含んでいる。この閉塞壁の除去領域には上方に延出する円筒形被係止壁部が形成されている。被係止壁部には被係止突条が配設されている。外蓋は天面壁とこの天面壁の内面中央部から垂下する円筒形係止片とを含む。係止片には係止突条が配設されている。外蓋が中栓又は口頸部に装着される際には、外蓋の天面壁が中栓の閉塞壁を覆うと共に、外蓋の係止片に配設されている係止突条が中栓の被係止壁部に形成されている被係止突条の下方に係止される。中栓又は口頸部から外蓋が離脱される際には、破断可能薄肉ラインが破断されて除去領域が閉塞壁のその他の部分から分離され外蓋と共に口頸部から離脱される。
【０００３】
然るに、上述したとおりの従来の容器蓋には、中栓又は口頸部から離脱した外蓋を中栓又は外蓋に再装着した際に、外蓋に対して除去領域が上方に変位して被係止突条と係止突条との係止が解除されて除去領域の拘束が不充分になり、外蓋に対して除去領域が傾動してしまう傾向がある。そして、外蓋に対して除去領域が傾動してしまうと、中栓又は口頸部から外蓋を再び離脱する際に除去領域が外蓋から偶発的に脱落してしまうことがある。除去領域が外蓋から脱落してしまうと、外蓋を中栓又は口頸部に再装着した時に除去領域による閉塞壁に生成された開口の仮密封が不可能となる。
【先行技術文献】
【特許文献】
【０００４】
【特許文献１】特開２０１３−４３６９１号公報
【発明の概要】
【発明が解決しようとする課題】
【０００５】
本発明は上記事実に鑑みてなされたものであり、その主たる技術的課題は、中栓又は口頸部に再装着された外蓋を再度中栓又は口頸部から離脱せしめる際に、除去領域が外蓋から脱落してしまうことが可及的に防止される、新規且つ改良された容器蓋を提供することである。
【課題を解決するための手段】
【０００６】
本発明者等は、鋭意検討の結果、中栓の被係止壁部における被係止突条よりも下方の部位に、補助被係止突条を配設し、中栓又は口頸部から離脱された外蓋が中栓又は口頸部に再装着される際に外蓋に対して除去領域が上方に変位されて、外蓋の係止片に配設されている係止突条が中栓の被係止壁部に配設されている補助被係止突条の下方に係止するように構成することによって上記主たる技術的課題が達成されることを見出した。
【０００７】
即ち、本発明によれば、上記主たる技術的課題を達成することができる容器蓋として、容器の口頸部に装着される合成樹脂製中栓、及び該中栓又は該口頸部に装着される合成樹脂製外蓋を具備し、
該中栓は破断可能薄肉ラインによって規定された除去領域を有する閉塞壁を含み、該閉塞壁の該除去領域には上方に延出する円筒形被係止壁部が形成されており、該被係止壁部には被係止突条が配設され、
該外蓋は天面壁と該天面壁の内面中央部から垂下する円筒形係止片とを含み、該係止片には係止突条が配設されており、
該外蓋が該中栓又は該口頸部に装着される際には、該外蓋の該天面壁が該中栓の該閉塞壁を覆うと共に、該外蓋の該係止片に配設されている該係止突条が該中栓の該被係止壁部に形成されている該被係止突条の下方に係止され、
該中栓又は該口頸部から該外蓋が離脱される際には、該破断可能薄肉ラインが破断され
て該除去領域が該閉塞壁のその他の部分から分離され該外蓋と共に該口頸部から離脱される容器蓋において、
該中栓の該被係止壁部における該被係止突条よりも下方の部位には、補助被係止突条が配設されており、
該中栓又は該口頸部から離脱された該外蓋が該中栓又は該口頸部に再装着される際には、該外蓋に対して該除去領域が上方に変位されて、該外蓋の該係止片に配設されている該係止突条が該中栓の該被係止壁部に配設されている該補助被係止突条の下方に係止すると共に、該中栓の該被係止壁部に配設されている該被係止突条が該外蓋の該係止片に配設されている該係止突条よりも上方の位置にて該係止片と対向する、
ことを特徴とする容器蓋が提供される。
【０００８】
好ましくは、該中栓の該閉塞壁の下面には、該破断可能薄肉ラインの半径方向内側において該閉塞壁の下面に接続された基端から半径方向外方に向かって下方に傾斜して延出し、延出端は半径方向において該破断可能薄肉ラインよりも外方に位置する環状シール片が形成されており、該外蓋が該中栓又は該口頸部から離脱される際には該シール片は弾性的に撓んで該その他の部分より上方に移動し、該外蓋が該中栓又は該口頸部に再装着される際には該シール片が該閉塞壁の該その他の部分の上面に当接して該除去領域の下方への移動が阻止される。好適には、該被係止突条及び該係止突条を介して伝えられる力によって該破断可能薄肉ラインは破断する。該被係止壁部の該補助被係止突条の下方には被係合手段が配設され、該係止片の該係止突条の下方には係合手段が配設され、該被係合手段及び該係合手段を介して伝えられる力によって該破断可能薄肉ラインは破断してもよい。該外蓋の該天面壁の下面或いは該係止片又は該中栓の該被係止壁部の上面には、該外蓋が該中栓又は該口頸部に再装着される際に該被係止壁部又は該天面壁に当接して該外蓋に対する該除去領域の上昇を阻止する阻止片が形成されているのが好適である。該外蓋の該天面壁の下面又は該係止片には、該外蓋が該中栓又は該口頸部に再装着される際に該被係止壁部に当接して該外蓋に対する該除去領域の上昇を阻止する阻止片が形成されているのが好適である。該中栓の該被係止壁部の上面には、該外蓋が該中栓又は該口頸部に再装着される際に該外蓋の該天面壁の下面に当接して該外蓋に対する該除去領域の上昇を阻止する阻止片が形成されていてもよい。
【発明の効果】
【０００９】
本発明の容器蓋においては、中栓又は口頸部から離脱された外蓋が中栓又は口頸部に再装着される際には外蓋に対して除去領域が上方に変位されて、外蓋の係止片に配設されている係止突条が中栓の被係止壁部に配設されている補助被係止突条の下方に係止すると共に、中栓の被係止壁部に配設されている被係止突条が外蓋の係止片に配設されている係止突条よりも上方の位置にて係止片と対向する。これによって外蓋に対して除去領域が傾動することが防止され、除去領域が外蓋から脱落することが可及的に防止される。
【図面の簡単な説明】
【００１０】
【図１】本発明に従って構成された容器蓋の好適実施形態における中栓を、一部を断面で示す正面図。
【図２】図１の中栓の平面図。
【図３】図１の中栓の底面図。
【図４】本発明に従って構成された容器蓋の好適実施形態における外蓋を、一部を断面で示す正面図。
【図５】図４の外蓋の底面図。
【図６】図４の外蓋を図１の中栓に装着した状態を示す縦断面図。
【図７】図６に示す状態から図４の外蓋を図１の中栓から離脱せしめた後に図１の中栓に再装着した状態を示す縦断面図。
【図８】本発明の他の実施形態を示す部分拡大断面図。
【図９】本発明の更に他の実施形態を示す部分拡大断面図。
【発明を実施するための形態】
【００１１】
以下、本発明に従って構成された容器蓋の好適実施形態を図示している添付図面を参照して更に詳細に説明する。
【００１２】
本発明に従って構成された容器蓋は、図１乃至図３に示す中栓２と図４及び図５に示す外蓋４とから構成されている。中栓２はポリエチレン又はポリプロピレンの如き適宜の合成樹脂から射出成形することができ、同様に外蓋４もポリエチレン又はポリプロピレンの如き適宜の合成樹脂から射出成形することができる。
【００１３】
図１及び図２を参照して説明すると、中栓２は閉塞壁６を含む。この閉塞壁６は円環形状の破断可能薄肉ライン８によって規定された円形除去領域１０を有する。閉塞壁６の上面には、その外周縁部において上方に延出する円筒形被装着壁１２と、半径方向に見て被装着壁１２と破断可能薄肉ライン８との間において上方に延出する略円筒形注出壁１４とが形成されている。被装着壁１２の外周面には雄螺条１６が形成されている。注出壁１４の上端部はその基端部よりも肉厚が薄肉にせしめられており、半径方向外方にカールせしめられている。注出壁１４の延出高さは被装着壁１２及び後述する被係止壁部の延出高さよりも高い。
【００１４】
閉塞壁６の上面には、除去領域１０の中央部において上方に延出する円筒形被係止壁部１８も形成されている。被係止壁部１８の上端には実質上水平な円形壁面２０が設けられている。被係止壁部１８の外周面の上端部には周方向に連続して延在する１個の被係止突条２２が配設されている。被係止壁部１８における被係止突条２２よりも下方の部位には、補助被係止突条２４が配設されていることが重要である。図示の実施形態においては、補助被係止突条２４は被係止壁部１８の外周面において周方向に連続して延在している。被係止壁部１８の外周面における補助被係止突条２４の下方には、被係合手段２６が配設されている。図２に明確に図示する如く、図示の実施形態においては、被係合手段２６は周方向に等角度間隔をおいて６個配設されている。被係合手段２６の各々は被係止壁部１８の外周面から半径方向外方に向かって鋭く切り立つ被係合面２６ａと、この被係合面２６ａの半径方向外方の延出端から図２において（即ち上方から見て）反時計方向に向かって直線状に延びる外周面２６ｂと、この外周面２６ｂの図２において反時計方向延出端から半径方向内方に弧状に曲げられた後に緩やかに傾斜して再び被係止壁部１８の外周面に接続される逃げ面２６ｃとを有している。被係止壁部１８の内周面には軸線方向に延びるリブ２７が周方向に等角度間隔を置いて４個形成されている。リブ２７は、中栓２に外蓋４を装着する際に所定の治具と協働して外蓋４に対する中栓２の回転を規制することを可能とする。
【００１５】
図１及び図３を参照して説明すると、閉塞壁６の下面には、その外周縁から垂下する円筒形嵌合壁２８と、半径方向に見て嵌合壁２８と破断可能薄肉ライン８との間において下方に延出する環状シール壁３０と、半径方向に見てシール壁３０と破断可能薄肉ライン８との間に位置するラチェット部３２（特に図３を参照されたい）とが形成されている。嵌合壁２８の内周面下端部には環状嵌合突条３４が設けられている。更に、嵌合壁２８の上端部を除く部分は比較的肉厚にせしめられると共に、上方に開放された環状空隙２８ａが形成されている。かような嵌合壁２８の構成はそれ自体周知であり、容器蓋の分別廃棄に際して、容器蓋を容器口部から容易に取り除くことを可能とする（特開平１０−５９４００号及び特開２００４−８３０９２号公報を参照されたい）。ラチェット部３２もそれ自体周知の構成であり、中栓２に外蓋４を装着する際に所定の治具と協働して外蓋４に対する中栓２の回転を規制することを可能とする（特開２００８−２７３５３１号公報を参照されたい）。閉塞壁６の下面には、破断可能薄肉ライン８の半径方向内側において閉塞壁６の下面に接続された基端から半径方向外方に向かって下方に傾斜して延出し、延出端は半径方向において破断可能薄肉ライン８よりも外方に位置する環状シール片３６も形成されている。シール片３６は比較的肉薄であり弾性的に変形することが可能である。
【００１６】
図４及び図５を参照して説明を続けると、外蓋４は天面壁３８とこの天面壁３８の内面中央部から垂下する円筒形係止片４０と天面壁３８の外周縁部から垂下する円筒形装着壁４２とを含む。天面壁３８の外周縁には縦断面図において半径方向外方及び下方に円弧状に延び、次いで下方に鉛直に延びるスカート壁４４が設けられている。スカート壁４４の外周面には掛けられる指の滑りを防止するためのナール（凹凸形状）４６が形成されている。天面壁３８の内面には、半径方向に見て係止片４０と装着壁４２との間において下方に垂下する筒状液留め片４８と、半径方向に見て液留め片４８と係止片４０との間において下方に垂下する筒状補助シール片５０とが形成されている。装着壁４２の内周面下部には雌螺条５２が形成されている。装着壁４２の内周面上端部には周方向に等角度間隔をおいて６個の突出片５４が形成されている。突出片５４の各々の下面には実質上水平な停止面５６が形成されている。係止片４０の内周面における軸線方向中間部には周方向に連続して延びる１個の係止突条５８が配設されている。係止片４０の内周面において係止突条５８の下方には係合手段６０が配設されている。図５に明確に図示する如く、図示の実施形態においては、係合手段６０は周方向に等角度間隔をおいて６個配設されている。係合手段６０の各々は係止片４０の内周面から半径方向内方に向かって鋭く切り立つ係合面６０ａと、この係合面６０ａの半径方向内方の延出端から図５において（即ち下方から見て）反時計方向に向かって緩やかに傾斜して再び係止片４０の内周面に接続される傾斜面６０ｂとを有している。
【００１７】
上述したとおりの中栓２と外蓋４とは、中栓２に外蓋４を被嵌した状態で中栓２に対して外蓋４を上方から見て時計方向に回転し、中栓２の雄螺条１６に外蓋４の雄螺条４８を螺合せしめることによって相互に組み合わされる。この際には、上述したとおり中栓２のリブ２７及びラチェット部３２に所定の治具を作用させて、外蓋４に対する中栓２の回転を規制した状態で行われる。中栓２に対して外蓋４を上記方向に回転せしめて外蓋４が中栓２に対して降下する際には、外蓋４における係合手段６０の傾斜面６０ｂが中栓２における被係合手段２６の逃げ面２６ｃ及び外周面２６ｂを弾性的に乗り越え、中栓２に対する外蓋４の回転が被係合手段２６と係合手段６０との共働によって規制されることはない。外蓋４は、その突出片５４に形成された停止面５６が中栓２の被装着壁１２の上面に当接するまで中栓２に対して回転せしめられる。
【００１８】
図６を参照して説明を続けると、外蓋４の装着壁４２に形成されている雌螺条５２が中栓２に形成されている雄螺条１６に螺合されて外蓋４が中栓２に装着されると、外蓋４の天面壁３８が中栓２の閉塞壁６を覆うと共に、外蓋４の係止片４０に配設されている係止突条５８が中栓２の被係止壁部１８に形成されている被係止突条２２を弾性的に乗り越えてこれの下方に係止される。かかる状態においては、外蓋４の補助シール片５０の外周面が中栓２の注出壁１４の上端部の内周面に密着する。上記のとおりに組み合わされた容器蓋は、図６に示す容器の口頸部６２に対して図６に示す状態まで強制的に下降せしめることによって容器の口頸部６２に装着される。かくすると、中栓４における嵌合壁２８の内周面に形成されている嵌合突条３４が口頸部２の外周面に形成されている係止あご部６４を弾性的に乗り越えてこれに係止せしめられ、中栓２が口頸部６２に固着される。また、中栓２のシール壁３０が口頸部６２内に進入せしめられ、これによって口頸部６２が密封される。
【００１９】
容器の内容物を消費する際には、外蓋４のスカート壁４４に指を掛けて、中栓２に装着されている外蓋４を上方から見て反時計方向に回転する。中栓２に対して外蓋４を上記方向に回転すると、外蓋４の装着壁４２に形成されている雌螺条５２と中栓２に形成されている雄螺条１６との螺合が解除されて中栓２に対して外蓋４が上昇せしめられる。このとき、外蓋４の係止突条５８が中栓２の被係止突条２２に係止して中栓２に対する外蓋４の上昇が規制される。従って、外蓋４を更に中栓２に対して上記方向に回転せしめると、係止突条５８及び被係止突条２２を介して破断可能薄肉ライン８に上下方向の力が伝えられこれに集中し、かかる力によって破断可能薄肉ライン８が破断される。本実施形態においては更に、外蓋４に係合手段６０が配設されていると共に中栓２に被係合手段２６が配設されていることに起因して、外蓋４における係合手段６０の係合面６０ａが中栓２における被係合手段２６の係合面２４ａと係合して、中栓２に対する外蓋４の上記回転も規制される。そのため、係合手段６０及び被係合手段２６を介して破断可能薄肉ライン８に横方向の力も伝えられ、破断可能薄肉ライン８の破断が助長される。破断可能薄肉ライン８が破断して中栓２の閉塞壁６に開口が生成された後、外蓋４を中栓２に対して上記方向に更に回転せしめると、除去領域１０が閉塞壁６のその他の部分から分離され外蓋４と共に除去領域１０が中栓２に対して上昇する。除去領域１０が閉塞壁６のその他の部分から除去される際にはシール片３６は弾性的に撓んで上記その他の部分より上方に移動する。そして、外蓋４を中栓２に対して上記方向に更に回転せしめると、外蓋４と共に除去領域１０が口頸部６２から離脱される。しかる後においては中栓２の閉塞壁６に生成された開口を通して内容物を排出することができる。
【００２０】
内容物の必要量の排出が終了した後においては、外蓋４を中栓２に被嵌し、次いで上方から見て時計方向に回転して外蓋４の装着壁４２の内周面に形成されている雌螺条５２を中栓２の被装着壁１２の外周面に形成されている雄螺条１６に螺合せしめて中栓２に対して外蓋４を降下させる。外蓋４を中栓２に対して上記方向に回転して中栓２に対して外蓋４を降下させると、シール片３６が閉塞壁６の上記その他の部分の上面に当接して除去領域１０の下方への移動が阻止されると共に、閉塞壁６に生成された開口が閉じられる。かくして、中栓２から離脱された外蓋４が中栓２に再装着される。このとき、本発明の容器蓋においては、中栓２から離脱された外蓋４が中栓２に再装着されると外蓋４に対して除去領域１０が上方に変位されて、外蓋４の係止片４０に配設されている係止突条５８が中栓２の被係止壁部１８に配設されている補助被係止突条２４の下方に係止すると共に、中栓２の被係止壁部１８に配設されている被係止突条２２が外蓋４の係止片４０に配設されている係止突条５８よりも上方の位置にて係止片４０と対向する。これによって外蓋４に対して除去領域１０が傾動することが防止され、除去領域１０が外蓋４から脱落することが可及的に防止される。
【００２１】
図８には本発明に従って構成された容器の他の実施形態が図示されている。かかる実施形態における容器蓋おいては、外蓋の天面壁３８の下面には、外蓋が中栓又は口頸部に再装着される際に、被係止壁部１８に当接して外蓋に対する除去領域の上昇を阻止する阻止片６６が形成されている。図示の実施形態においては、阻止片６６は天面壁３８の下面中央部において下方に突出する円筒形状部材である。所望ならば、阻止片６６は周方向に等角度間隔を置いて周方向に延びる複数個の環状突条としてもよい。阻止片６６を天面壁３８の下面に形成することにより、中栓から離脱された外蓋が中栓に再装着された際に、阻止片６６が被係止壁部１８の壁面２０の上面に当接して被係止壁部１８と天面壁３８の下面との間の隙間を除去することが可能となり、これにより、外蓋に対して除去領域１０が傾動することがより一層防止され、除去領域１０が外蓋から脱落する虞をより一層低減させることができる。なお、図示の形態においては、阻止片６６は外蓋の天面壁３８の下面に形成されているが、これに代えて、阻止片６６を中栓の被係止壁部１８の上面、即ち壁面２０の上面に形成してもよい。
【００２２】
図９には本発明に従って構成された容器の更に他の実施形態が図示されている。かかる実施形態における容器蓋おいては、外蓋の係止片４０の内周面には、外蓋が中栓又は口頸部に再装着される際に、被係止壁部１８に当接して外蓋に対する除去領域の上昇を阻止する阻止片６８が形成されている。図示の実施形態においては、阻止片６８は係止片４０の内周面上端部を全周に亘って幾分肉厚にせしめることにより構成されている。所望ならば、阻止片６８は、係止片４０の内周面上端部を全周に亘って幾分肉厚にせしめることに代えて、係止片４０の内周面上端部を幾分肉厚にせしめる部位を周方向に等角度間隔を置いて複数個設けるようにしてもよい。ようにしてもよい。阻止片６８を係止片４０の内周面に形成することにより、中栓から離脱された外蓋が中栓に再装着された際に、阻止片６６が被係止壁部１８の外周面に当接することで、外蓋に対して除去領域１０が傾動することがより一層防止され、除去領域１０が外蓋から脱落する虞をより一層低減させることができる。
【００２３】
以上、添付図面を参照して本発明に従って構成された容器蓋の好適実施形態について詳細に説明したが、本発明は係る実施形態に限定されるものではなく、本発明の範囲を逸脱することなく種々の変形乃至修正が可能であることは多言を要しない。例えば、図示の実施形態においては、雄螺条は中栓に形成され外蓋は中栓に装着されていたが、これに代えて、雄螺条を容器の口頸部に形成し外蓋は容器の口頸部に装着されるようにしてもよい。また、上記いずれの実施形態においても、中栓に配設される被係止突条は被係止壁部の外周面に形成されると共に外蓋に配設される係止突条及び係合手段は係止片の内周面に形成されていたが、これに代えて、被係止突条を被係止壁部の内周面に形成すると共に係止突条及び係合手段を係止片の外周面に形成するようにしてもよい。この場合には、上述した実施形態においては被係止壁部の上端に形成されていた壁面を下端部にせしめる必要がある。係止突条及び係合手段を係止片の外周面に形成する場合には、阻止片は係止片の外周面上端部に形成される。更にまた、図示の実施形態においては、被係止突条及び補助被係止突条並びに係止突条は共に周方向に連続して延在する１個であったが、これに代えて、周方向に間隔を置いて周方向に延びる複数個としてもよい。この場合には、周方向に間隔を置いて配設された被係止突条及び補助被係止突条並びに係止突条における夫々の周方向間隔及び周方向長さは、係止突条が被係止突条及び補助被係止突条と夫々係止するように適宜調整される。
【符号の説明】
【００２４】
２：中栓
４：外蓋
６：閉塞壁
８：破断可能薄肉ライン
１０：除去領域
１６：雄螺条
１８：被係止壁部
２２：被係止突条
２４：補助被係止突条
３８：天面壁
４０：係止片
４８：雌螺条
５８：係止突条
６２：口頸部
【図１】
0006723021.tif 000002
【図２】
0006723021.tif 000003
【図３】
0006723021.tif 000004
【図４】
0006723021.tif 000005
【図５】
0006723021.tif 000006
【図６】
0006723021.tif 000007
【図７】
0006723021.tif 000008
【図８】
0006723021.tif 000009
【図９】
0006723021.tif 000010